(57)【要約】【課題】ポスターやフィルムシートなどの表示シートをフレームに展張保持する際に、簡易な構成で、かつ強い保持力で、皺や弛みを生じさせずに表示シートの側縁の中間部を挟持する。【解決手段】表示シート２の側縁の中間部を挟み付ける受け保持部材５および押え保持部材６を有し、これら受け保持部材５と押え保持部材６の一端部同士を連結部材９にて２関節で連結するとともに、それら受け保持部材５および押え保持部材６の他端部間に挟持力を付与する挟持力付与手段７を設け、受け保持部材５のシート受け面３０と押え保持部材６のシート押え面３１ａ，３１ｂとが互いに略平行な状態で、挟持力付与手段７により押え保持部材６の他端部を受け保持部材５の他端部に向けて引下げることにより一対の保持部材間５，６にて表示シート２を挟持固定する。【選択図】図５
2009042609.tif 000002
【特許請求の範囲】
【請求項１】
表示シートの側縁の中間部を挟み付ける一対の保持部材と、この一対の保持部材をフレームに向けて引っ張るばね体とを備える表示シート展張具において、
前記一対の保持部材は、表示シートの下面を支持する受け保持部材と、この受け保持部材に対して可動的に連結されて前記表示シートの上面を押圧保持する押え保持部材よりなり、
前記受け保持部材と前記押え保持部材の一端部同士が連結部材にて２関節で連結されるとともに、それら受け保持部材および押え保持部材の他端部間に挟持力を付与する挟持力付与手段が設けられ、
前記受け保持部材のシート受け面と前記押え保持部材のシート押え面とが互いに略平行な状態で、前記挟持力付与手段により前記押え保持部材の他端部を前記受け保持部材の他端部に向けて引下げることにより前記一対の保持部材間にて表示シートが挟持固定されることを特徴とする表示シート展張具。
【請求項２】
前記押え保持部材のシート押え面が、互いに所定間隔を隔てて表示シートの側縁に沿う方向に２列に配される一対の押圧部よりなり、前記連結部材がその一対の押圧部の中間位置で前記受け保持部材および前記押え保持部材の各一端部に連結される請求項１に記載の表示シート展張具。
【請求項３】
前記連結部材と前記受け保持部材との当接位置が、前記表示シートの外側でかつ前記連結部材の下部位置とされ、前記連結部材と前記押え保持部材との当接位置が、前記表示シートの内側でかつ前記連結部材の上部位置とされる請求項２に記載の表示シート展張具。
【請求項４】
前記一対の押圧部のうち前記表示シートの外側に位置する第１押圧部が直接前記受け保持部材の上面に接触するとともに、前記表示シートの内側に位置する第２押圧部が前記表示シートの上面を押圧するようにされ、前記第１押圧部の下面および／またはそれに対向する前記受け保持部材の上面に、一端部から他端部に向かうにしたがってそれら両者間の間隔が徐々に広がるような傾斜部が設けられる請求項２または３に記載の表示シート展張具。
【請求項５】
前記挟持力付与手段は、前記受け保持部材の他端部を所要の角度で上向き傾斜形状にされるとともに、前記押え保持部材の他端部を前記受け保持部材の他端部の傾斜形状に平行になるように上向き傾斜形状とされ、これら双方の他端部同士がボルト・ナットの螺合により相互に締結される請求項１〜４のいずれかに記載の表示シート展張具。
【発明の詳細な説明】
【技術分野】
【０００１】
本発明は、ポスターやフィルムシートなどの表示シートをフレームに展張保持する際に、表示シートの側縁の中間部を挟持するようにした表示シート展張具に関するものである。
【背景技術】
【０００２】
従来、ポスターなど表示シートの側縁を挟持してフレームに展張保持する表示シート展張具として、本出願人の提案になる特許文献１に示されたものがある。この文献に記載の展張具５０は、図１２に示されているように、先端部に折曲部５１ａを有する断面略Ｌ字形の第１挟持片５１と、この第１挟持片５１の基端部に支軸５１ｂにて枢支され、板ばね５２のばね力によって先端部が前記折曲部５１ａの内面に当接するように回動付勢される第２挟持片５３と、第１挟持片５１の長手方向の両端部とフレーム５４との間に張架される引張りコイルばね５５を備えた構成とされている。この展張具５０を用いてシート５６を展張させるには、第２挟持片５３を板ばね５２の付勢力に抗して内向きに回動させるとともに、引張りコイルばね５５を伸張させて、第１挟持片５１の先端部と第２挟持片５３の先端部との間隙にシート５６の側縁部を挿入し、この後、第１挟持片５１および第２挟持片５３への作用力を解除すると、図１２（ｂ）に示されるように、シート５６の側縁部が第１挟持片５１の先端部と第２挟持片５３の先端部との間に挟み込まれるとともに、これら第１挟持片５１および第２挟持片５３が引張りコイルばね５５の止着部５７側へ引き寄せられ、これら第１挟持片５１および第２挟持片５３が後頃姿勢となった状態でシート５６が展張される。
【０００３】
また、他の従来例として、図１３に示されるような展張具がある。この展張具６０は、ベースプレート６１上に、先端部を折曲させてシート押圧部６２ａとした挟持片６２を３本の締め付けボルト６３により固着し、ベースプレート６１の上面とシート押圧部６２ａとの間隙にシート６４の側縁部を挿入し、締め付けボルト６３を締め付けることでシート６４を挟み込むように構成されている。また、ベースプレート６１の基部中央には引張りコイルばね６５の止着穴６６が穿設されており、この引張りコイルばね６５によって展張具６０がフレームに向けて付勢される。
【０００４】
しかしながら、前記特許文献１（図１２）に示される展張具では、簡単な操作で、１ｋｇ〜２ｋｇ程度のシート保持力（挟持力）を得ることができるものの、５ｋｇを超えるシート保持力を得ることが難しく、シートの側縁部を折り曲げない状態でシートに張力を付与したい場合に不向きであるという問題点がある。
【０００５】
一方、図１３に示される方法では、３本以上の締め付けボルト６３を用いてシート６４を押圧しないと、５ｋｇを超えるシート保持力を得ることができない。ところが、複数個の締め付けボルトを使用した場合、各締め付けボルトを同じ締め付け力で締めないと、挟持片６２のシート押圧部６２ａに平均的な押圧力をかけることができず、シート６４とシート押圧部６２ａとの接触部周辺に皺や弛みが発生してしまうという問題点がある。特にシートを複数枚重ねて保持する場合には注意を要し、シート押圧部６２ａに均一な締め付け力を付与するのが困難である。
【０００６】
【特許文献１】特許第３１６１９４５号公報
【発明の開示】
【発明が解決しようとする課題】
【０００７】
本発明は、前述のような問題点を解消するためになされたもので、ポスターやフィルムシートなどの表示シートをフレームに展張保持する際に、簡易な構成で、かつ強い保持力で、皺や弛みを生じさせずに表示シートの側縁の中間部を挟持することのできる表示シート展張具を提供することを目的とするものである。なお、本発明における表示シートとは、シートを記録媒体として文字・図形などをプリント表示したものおよび映像（画像）などを表示させるフィルム（光透過シート）、光拡散シート・積層電気回路シートなどを総称する。
【課題を解決するための手段】
【０００８】
前記目的を達成するために、本発明による表示シート展張具は、
表示シートの側縁の中間部を挟み付ける一対の保持部材と、この一対の保持部材をフレームに向けて引っ張るばね体とを備える表示シート展張具において、
前記一対の保持部材は、表示シートの下面を支持する受け保持部材と、この受け保持部材に対して可動的に連結されて前記表示シートの上面を押圧保持する押え保持部材よりなり、
前記受け保持部材と前記押え保持部材の一端部同士が連結部材にて２関節で連結されるとともに、それら受け保持部材および押え保持部材の他端部間に挟持力を付与する挟持力付与手段が設けられ、
前記受け保持部材のシート受け面と前記押え保持部材のシート押え面とが互いに略平行な状態で、前記挟持力付与手段により前記押え保持部材の他端部を前記受け保持部材の他端部に向けて引下げることにより前記一対の保持部材間にて表示シートが挟持固定されることを特徴とするものである（第１発明）。
【０００９】
本発明において、前記押え保持部材のシート押え面が、互いに所定間隔を隔てて表示シートの側縁に沿う方向に２列に配される一対の押圧部よりなり、前記連結部材がその一対の押圧部の中間位置で前記受け保持部材および前記押え保持部材の各一端部に連結されるのが好ましい（第２発明）。
【００１０】
ここで、前記連結部材と前記受け保持部材との当接位置が、前記表示シートの外側でかつ前記連結部材の下部位置とされ、前記連結部材と前記押え保持部材との当接位置が、前記表示シートの内側でかつ前記連結部材の上部位置とされるのが好ましい（第３発明）。
【００１１】
また、前記第２発明または第３発明において、前記一対の押圧部のうち前記表示シートの外側に位置する第１押圧部が直接前記受け保持部材の上面に接触するとともに、前記表示シートの内側に位置する第２押圧部が前記表示シートの上面を押圧するようにされ、前記第１押圧部の下面および／またはそれに対向する前記受け保持部材の上面に、一端部から他端部に向かうにしたがってそれら両者間の間隔が徐々に広がるような傾斜部が設けられるのが良い（第４発明）。
【００１２】
また、前記挟持力付与手段は、前記受け保持部材の他端部を所要の角度で上向き傾斜形状にされるとともに、前記押え保持部材の他端部を前記受け保持部材の他端部の傾斜形状に平行になるように上向き傾斜形状とされ、これら双方の他端部同士がボルト・ナットの螺合により相互に締結されるのが良い（第５発明）。
【発明の効果】
【００１３】
本発明においては、一端部同士が連結部材にて２関節で連結された一対の保持部材の他端部において、表示シートの押え側となる押え保持部材を挟持力付与手段によって引下げるように操作することで、受け保持部材のシート受け面と押え保持部材のシート押え面とを互いに略平行状態で移動させて、表示シートの側縁の中間部を強い保持力で挟持固定することができる。そして、この状態で一対の保持部材をばね体にてフレームに向けて引っ張ることで、表示シートの中間部をフレームに展張保持することができる。こうして、表示シートの側縁の中間部を展張してフレームに装着する際、その中間部を挟持するとともにばね体でフレームに取付ける一回の操作で、表示シートと保持部材との接触部での皺の発生をなくして表示シートのフレームへの取付操作を容易に行うことができる。
【００１４】
本発明によれば、押え保持部材と受け保持部材とにより表示シートに押圧力を付与するのに、２関節の連結部材を用いて軸ずれを起こさせる方式であるため、一対の保持部材の他端部で挟持力を付与するという簡単な構造で、表示シートを挟持するとともに強い保持力を得ることができ、またばね体との連結で確実に表示シートを展張保持できるという効果を奏する。
【００１５】
また、第２発明によれば、押え保持部材が２列の押圧部を備えているので、表示シートに対し２か所で均一な押圧力を付与することができ、また、複数の表示シートを重ねて一緒に保持する際に位置合わせが容易で、かつ正確に行え、作業性が格段に向上する。しかも、表示シートに対して強い保持力を付与することができる。
【００１６】
さらに、第３発明によれば、一対の保持部材により表示シートを押圧する際に、連結部材と受け保持部材との当接位置と、連結部材と押え保持部材の当接位置とが、表示シートの側縁に直交する断面内で左右にずれているので、この断面内で一対の保持部材に連結部材を軸とする回動力が生じ、表示シート押圧力が倍加されて、より強い押圧力を得ることができる。また、表示シートの外側に先に押圧力が付与され、続いて両側に押圧力が付与されるという２段階の押圧方式とすることができる。こうして、表示シートの側縁で取付位置を正確に設定したい場合や、複数の表示シートを同時に保持する場合等に用いて特に有効な表示シート展張具を得ることができる。
【００１７】
また、第４発明の構成を採用すれば、第１押圧部および／またはそれに対向する受け保持部材に設けられた傾斜部によって、第２押圧部における表示シートへの押圧力を高めることができ、表示シートの挟持保持力をより高めることができる。
【００１８】
さらに、第５発明によれば、簡単な構成で受け保持部材のシート受け面と押え保持部材のシート押え面とを近接させて表示シートの側縁部を挟圧しつつ展張力を確保することができ、また操作性を高めることができる。
【発明を実施するための最良の形態】
【００１９】
次に、本発明による表示シート展張具の具体的な実施の形態について、図面を参照しつつ説明する。
【００２０】
（第１の実施形態）
図１には、本発明の第１の実施形態に係る表示シート展張具の取付状態平面図が示されている。図２には、図１の要部拡大図が、図３には、本実施形態の表示シート展張具の斜視図が、図４には、表示シート展張具の左側面図（図３のＡ矢視図）（ａ）とその部分拡大断面図（ｂ）が、図５には、表示シート展張具の正面図（図３のＢ矢視図）（ａ）とその部分拡大断面図（ｂ）（ｃ）が、それぞれ示されている。
【００２１】
本実施形態の表示シート展張具１は、図１に示されるように、ポスターなどの表示シート２を方形のフレーム３内に展張して掲示する際に使用される。フレーム３の四隅には、表示シート２のコーナ部を保持するコーナ金具４が設けられ、またフレーム３の長辺の中央部には、表示シート２の側縁の中央部を保持する本実施形態の表示シート展張具１が設けられる。
【００２２】
この表示シート展張具１は、図２に示されるように、表示シート２の側縁の中間部に突設された耳部２ａを上下から挟み付けて保持するようにされ、前記耳部２ａを挟み付ける一対の保持部材５，６（受け保持部材５および押え保持部材６）と、一対の保持部材５，６の他端部（図２で上端部）間に挟持力を付与する挟持力付与手段７と、一対の保持部材５，６をフレーム３に向けて引っ張るばね体（引張りコイルばね）８とを備えて構成されている。
【００２３】
前記受け保持部材５は、フレーム３側に配されて表示シート２の下面を支持し、押え保持部材６は、受け保持部材５に対しその一端部で連結部材（リンク）９にて可動的に連結され、他端部で前記挟持力付与手段７にて押え保持部材６との間で挟持力が付与されるように構成されている。
【００２４】
図３〜図５に示されているように、前記受け保持部材５は、一端側のコーナに切欠き部１０を有するように適宜厚さの金属板材を切り抜き、外縁側に上方へ折曲されたリブ１１を形成するとともに、内縁側に下方へ折曲されたリブ１２を形成し、かつ切欠き部１０に面する側縁に前記連結部材９の下部が連結される連結片１３が上方へ折曲され、他端部に前記挟持力付与手段７の一部を構成する係合片１４が所要角度（例えば２０〜５０°）上向きに傾斜するように折曲されて構成されている。前記連結片１３には、後述の連結ピン２６を挿通する連結ピン孔１５が穿設され、前記係合片１４には、挟持力付与手段７を構成する後述のビス（ボルト）２８を挿通する挿通孔１６が穿設されている。また、前記受け保持部材５の外縁部にはばね体８を止着する止着穴１７（図２参照）が穿設されている。
【００２５】
一方、前記押え保持部材６は、一端側のコーナ（受け保持部材５とは逆側のコーナ）に切欠き部１８を有するように適宜厚さの金属板材を切り抜き、外縁側に下方へ折曲されたリブ１９を形成するとともに、内縁側に下方へ折曲されたリブ２０を形成し、かつ切欠き部１８に面する側縁に前記連結部材９の上部が連結される連結片２１が上方へ折曲され、他端部に前記挟持力付与手段７の一部を構成する係合片２２が所要角度（例えば２０〜５０°）上向きに傾斜するように折曲されて構成されている。前記連結片２１には、後述の連結ピン２７を挿通する連結ピン孔２３が穿設され、前記係合片２２には、挟持力付与手段７を構成する後述のビス２８を挿通する挿通孔２４が穿設されている。
【００２６】
前述の構成よりなる受け保持部材５と押え保持部材６とは、受け保持部材５の一端部に設けられる上向きの連結片１３と押え保持部材６の一端部に設けられる上向きの連結片２１とが、２関節の連結部材（リンク）９により連結される。すなわち、図４に示されるように、前記連結片１３の連結ピン孔１５と連結部材９の下部のピン孔２５ａとに連結ピン２６を挿通するとともに、前記連結片２１の連結ピン孔２３と連結部材９の上部のピン孔２５ｂとに連結ピン２７を挿通して連結し、これにより連結ピン２６，２７を回動軸にして両保持部材５，６が上下に開閉可能に重ね合わせられる。
【００２７】
一方、受け保持部材５と押え保持部材６の各他端部の係合片１４，２２には、図５に示されるように、押え保持部材６の係合片２２に設けられた挿通孔２４から受け保持部材５の係合片１４に設けられた挿通孔１６にビス２８を挿通してナット２９に捻じ込むことにより、受け保持部材５のシート受け面３０と、押え保持部材６のシート押え面（一対の押圧部）３１ａ，３１ｂとによって表示シート２の耳部２ａが上下から把持され、固定される。なお、図５（ａ）に示されるように、押え保持部材６における連結ピン孔２３（連結部材９のピン孔２５ｂ）の中心から係合片２２の挿通孔２４の中心までの距離Ｌに対して、受け保持部材５における連結ピン孔１５（連結部材９のピン孔２５ａ）の中心から係合片１４の挿通孔１６の中心までの距離Ｌ′がやや長くなるように形成されている。また、前記連結部材９は、受け保持部材５のシート受け面３０と押え保持部材６のシート押え面３１ａ，３１ｂが対向した状態（表示シート２を挟み付ける前の状態）で、押え保持部材６のシート押え面３１ａ，３１ｂと表示シート２の間に僅かな間隙が生じる程度となるように、連結ピン２６と連結ピン２７との間の寸法が設定されている。
【００２８】
このように構成されている表示シート展張具１により表示シート２をフレーム３に展張掲示するには、表示シート２の側縁中央部の耳部２ａを受け保持部材５のシート受け面３０上に載置して、上方から押え保持部材６のシート押え面３１ａ，３１ｂを重ねる。その後、押え保持部材６の他端部の係合片２２に設けられている挿通孔２４から受け保持部材５の係合片１４の挿通孔１６にビス２８を挿通してナット２９に締め込むようにして挟持力付与手段７を作動させる。
【００２９】
そうすると、押え保持部材６が図５（ａ）で矢印Ｄ方向に引寄せられ、同時にシート押え面３１ａ，３１ｂがシート受け面３０上にある表示シート２の上面に押付けられ（矢印Ｅ方向に押圧力が作用して）、シート受け面３０とシート押え面３１ａ，３１ｂとによって表示シート２の耳部２ａが挟持固定される。
【００３０】
この挟持操作に際して、前述のように、押え保持部材６における連結ピン孔２３の中心から係合片２２の挿通孔２４の中心までの距離Ｌが、受け保持部材５における連結ピン孔１５の中心から係合片１４の挿通孔１６の中心までの距離Ｌ′に比べてやや短くされ、かつ押え保持部材６の一端部が受け保持部材５と連結部材９にて連結されるとともに、他端部がビス２８とナット２９との螺合により締め付けられて、押え保持部材６の係合片２２が受け保持部材５の係合片１４の傾斜面に引かれるように作用し、かつ挟み付ける表示シート２に対する押え保持部材６のシート押え面３１ａ，３１ｂと表示シート２面との位置関係が僅かな隙間で対峙する状態から、前記ビス３１の締め込みで挟持力が矢印Ｄ方向へ加えられることになる。このため、連結部材９が連結ピン２６を基点として矢印ｇ方向に回動され、押え保持部材６のシート押え面３１ａ，３１ｂが矢印ｆ方向へ平行移動して表示シート２表面との接触範囲でほぼ全面に強く接触し、ビス２８が矢印ｈ方向に回動され、表示シート２の耳部２ａがシート押え面３１ａ，３１ｂとシート受け面３０とによって挟持される。したがって、押え保持部材６のシート押え面３１ａ，３１ｂは僅かに水平移動することにより、矢印Ｅ方向への押付け力と矢印Ｆ方向への水平移動力による合力で表示シート２を展張させることができる。この結果、表示シート２を挟持することにより、同時に表示シート２の展張を併せ行うことができる。
【００３１】
こうして両保持部材５，６によって表示シート２の耳部２ａが挟持された状態で、受け保持部材５の外縁部における止着穴１７に止着されたばね体８をフレーム３に緊結することで、ばね体８による緊張力が両保持部材５，６を介して把持している表示シート２に作用し、より一層の展張挟持力がその表示シートに付与される。こうして、表示シート２の中央部を展張保持する操作が、前述のように一対の保持部材５，６による把持固定とばね体８を介してのフレーム３への取付けを一回の簡単な操作で行うことができ、しかも長期間にわたり表示シート２に緩みを発生することなく展張状態を維持することができる。
【００３２】
また、本実施形態の表示シート展張具１によれば、受け保持部材５と押え保持部材６との連結部に連結部材９としてのリンクを介在させる構成であるので、前述のように表示シート２に対して直接的に垂直方向に押付けて挟持する場合に比べて強力な保持力が得られるという利点がある。
【００３３】
次に、図４（ａ）に示される断面図を参照しつつ、一対の保持部材５，６により表示シート２を挟持する際のメカニズムをより詳細に説明する。
【００３４】
本実施形態の表示シート展張具１においては、押え保持部材６のシート押え面が、互いに所定間隔を隔てて表示シート２の側縁に沿う方向に２列に配される一対の押圧部（第１押圧部３１ａおよび第２押圧部３１ｂ）により構成され、断面視で、この一対の押圧部３１ａ，３１ｂ間の中央部に２関節の連結部材９が配され、この連結部材９が受け保持部材５および押え保持部材６の各一端部に連結された構成となっている。また、連結部材９と受け保持部材５とは、その連結部材９の外側下部に当接点Ｒが設けられて連結ピン２６で連結される一方、連結部材９と押え保持部材６とは、その連結部材９の内側上部に当接点Ｓが設けられて連結ピン２７で連結されている。
【００３５】
このように構成されているので、ビス２８をナット２９に締め込むことによって図５（ａ）で矢印Ｄ方向に押付け力を付与すると、押え保持部材６と受け保持部材５とは表示シート２を間に挟んだ状態で上下に広がる向き（図４（ａ）で矢印ｊ方向）に力が働く。しかし、押え保持部材６と受け保持部材５とは連結部材９を介して連結されているので、上方へ向かう力は、当接点Ｓが連結部材９より右側に位置しているので、上方へは向かわず、連結部材９のＧ点（点Ｒ，Ｓを結ぶ直線と連結部材９の鉛直向きの中心線との交点）を軸として矢印ｋ方向への回動力として作用する。また、下方へ向かう力は、当接点Ｒが連結部材９より左側に位置しているので、下方へは向かわず、連結部材９を軸として矢印ｍ方向への回動力として作用することになる。こうして、ビス２８とナット２９とによる矢印Ｄ方向への押付け力は、押え保持部材６と受け保持部材５とによる押付け力と共に、押え保持部材６を矢印ｋ方向および矢印ｍ方向に回動させる力として作用し、第１押圧部３１ａが先に表示シート２に接触して押え始める力となる。そして、ビス２８をナット２９に締め込むにしたがって、押え保持部材６と受け保持部材５との距離が短くなり、第１押圧部３１ａと第２押圧部３１ｂの両方で表示シート２を保持する力となる。
【００３６】
このような第１押圧部３１ａと第２押圧部３１ｂによる表示シート２の挟持メカニズムは、表示シート２と保持部材５，６との位置合わせを正確に行うのにも役立つ。すなわち、ビス２８をナット２９に締め付けた時、まず押圧力が第１押圧部３１ａに作用し、受け保持部材５と押え保持部材６との平行性と表示シート２の位置決めが正確になされ、その後にビス２８を強く締め付けていくことで、１箇所の締め付けビスによって正確な位置合わせと表示シート２に対する挟持力の付与とが確実に行えることになる。
【００３７】
これとは逆に、先に第２押圧部３１ｂで強く表示シート２を押えてしまうと、その押えた箇所で表示シート２にそりが生じ、第２押圧部３１ａでの正確な位置合わせが困難な場合がある。特に、ポスターなどの表示シート２を２〜４枚重ねて保持する場合、正確に保持しないと、表示シート２全体に張力を掛けて掲示した際に各表示シートの伸縮状態にばらつきが生じることになる。
【００３８】
また、複数の表示シートを押圧する際に、表示シート２の表面の１箇所で押え保持部材を押付けた場合には、表示シートの側縁側（押圧部の外縁側）が上向きに反る。これに対して、本実施形態のように、最初に第１押圧部３１ａにより表示シート２の表面を軽く押えて位置合わせを正確に行い、次に第１押圧部３１ａおよび第２押圧部３１ｂの両方に押圧力を加え、最終的に２箇所で均一した押圧力を掛けることができ、表示シートの一部に強い押圧力を加える方法に比べて、表示シートの特定箇所に強い圧力を加えないので、表示シートの締め付けによる皺の発生を防ぐことができる。
【００３９】
次に、本実施形態の表示シート展張具による表示シートの保持力を確認するために、従来の表示シート保持方法と比較検討するテストを次の要領で行った。
【００４０】
このテストは、従来の表示シート保持方法では、図６（ａ）（ｂ）で示されるように、上下一対の把持部材４０，４１で表示シートのテスト片４６の一端部を挟み付け、そのテスト片４６の他端部を牽引する方法で行った。このテストでは、把持部材４０，４１（一対の保持部材に対応）として、図示のように、厚み７ｍｍ、高さ２５ｍｍの角形棒材を用い、上側の把持部材４１に対して垂直荷重Ｊを付加し、テスト片４６の自由端をばね秤にて引っ張り、テスト片４６が移動（ズレ）始めるときの力をばね秤によって計測した。テスト片４６としては、幅６０ｍｍで厚さ１．７５ｍｍのポリエステル樹脂板４７の上下両面に０．２５ｍｍのコート紙４８，４８を積層して一体化したシートと、厚さ１．５０ｍｍのポリエステル樹脂板４７の上下両面に０．２５ｍｍのコート紙４８，４８を積層して一体化したシートの二種類を用いた。これに対して、垂直荷重Ｊの付加力（押付け荷重）を変化させてテスト片４６の耐引張力を計測した。その結果が表１に示されている。
【００４１】
【表１】
2009042609.tif 000003
【００４２】
本発明の表示シート展張具での保持力のテストとしては、図７（ａ）（ｂ）に示されるように、幅７ｍｍ、高さ２５ｍｍ、長さ１５０ｍｍの角形棒材を把持部材４０Ａ，４１Ａとして用い、この把持部材４０Ａ，４１Ａを上下に配して一端部で両側をリンク片４４によりそれぞれ可動的にピン４５，４５′で連結し、下側の把持部材４０Ａを定置して、上側の把持部材４１Ａのフリー端をばね秤に繋いで斜め下方向に引っ張るようにした。またテスト片４６としては、前記従来の表示シート保持方法のテストと同様の幅６０ｍｍで厚さ１．７５ｍｍのポリエステル樹脂板の上下両面に０．２５ｍｍのコート紙を積層して一体化したシートを用いた。テスト要領は、上下に配された把持部材４０Ａ，４１Ａ間に前記テスト片４６の一端部を挟み、そのテスト片４６のフリー端をばね秤で引っ張り、展張力荷重Ｊ′の付加力（前記Ｄ方向への作用力）を変化させてテスト片４６の耐引張力を計測した。なお、上側の把持部材４１Ａは、初期傾き角度１５°として引っ張った。この際前記従来方式と同様にテスト片４６が移動（ズレ）し始めるときの力を計測した。このテストの結果が表２に示されている。
【００４３】
【表２】
2009042609.tif 000004
【００４４】
上記テストの結果から、表示シートの展張保持は、従来の垂直荷重付加方式と本発明に係る展張付加方式による保持固定力を比較して、保持部材（把持部材）に対する引張角度（Ｄ方向への）を２０度から４０度にした場合は、２００〜２５０％の強い保持力が得られることが判明した。しかも、その展張保持力を付与するのに、１組の保持部材に対して１箇所で挟持力付与手段を操作（ねじ止め又はクランプ）することができるので、作業性が容易であり、また、押え保持部材を持上げてコーナ部を差し込むようにすることで簡単に表示シートが取付けられるので、表示シートの装着も一層容易になるという利点がある。
【００４５】
（第２の実施形態）
図８には、本発明の第２の実施形態に係る表示シート展張具の断面図が示されている。本実施形態において、先の実施形態と共通する部分には図に同一符号を付すに留めて、その詳細な説明を省略することとする。本実施形態は、第１押圧部３１ａが直接受け保持部材５のシート受け面３０に接触し、第２押圧部３１ｂが表示シート２を押圧する場合の例を示すものである。
【００４６】
本実施形態の表示シート展張具１Ａにおいては、ビス２８をナット２９に締め込むことによって図５（ａ）で矢印Ｄ方向に押付け力を付与すると、押え保持部材６が受け保持部材５と平行状態を維持しつつ押し下げられる。このとき、押え保持部材６と受け保持部材５との間には表示シート２があるため、連結部材９の位置では押え保持部材６と受け保持部材５とが上下に広がる方向の力を受ける。しかし、当接点Ｓが連結部材９より右側に位置し、当接点Ｒが連結部材９より左側に位置しているので、連結部材９を軸として矢印ｋ方向および矢印ｍ方向への回動力として作用する。こうして、第１押圧部３１ａが先に受け保持部材５に接触し、それ以上は回動しないので、順次第２押圧部３１ｂでの押圧力に変わっていく。この結果、第２押圧部３１ｂでの表示シート２の位置合わせが容易に行えることになり、少し押圧力を加えて表示シート２の位置合わせが正確に行われ、その後に強く締め付けることができる。第１押圧部３１ａと第２押圧部３１ｂの両方の締付け力が緩いときに位置合わせを行うようにした場合には、一度に２箇所のがたつきが発生するので、作業性が悪く、正確な位置合わせを行うのが困難であり、特に複数枚の表示シートを重ね合わせて挟持する場合に、これが顕著である。これに対して、本実施形態において、ビス２８とナット２９とによる矢印Ｄ方向への押付け力は、押え保持部材６と受け保持部材５との押付け力と共に、押え保持部材６を矢印ｋ方向および矢印ｍ方向に回動させる力として作用し、第１押圧部３１ａが先に表示シート２に接触して押え始める力となる。そして、ビス２８をナット２９に締め込むにしたがって、押え保持部材６と受け保持部材５との距離が短くなり、第１押圧部３１ａと第２押圧部３１ｂの両方で表示シート２を保持する力となる。
【００４７】
（第３の実施形態）
図９には、本発明の第３の実施形態に係る表示シート展張具の断面図（ａ）とそのＨ−Ｈ線断面図（ｂ）が示されている。本実施形態においても、先の実施形態と共通する部分には図に同一符号を付すに留めて、その詳細な説明を省略することとする。
【００４８】
本実施形態の表示シート展張具１Ｂでは、第２の実施形態において、押え保持部材６における第１押圧部３１ａと受け保持部材５のシート受け面３０との接触部に、一端側から他端側へ向けてテーパ状に広がる２°〜５°程度の傾斜部３２を設けるように構成されている。
【００４９】
このようにすれば、ビス２８をナット２９に締め込むことによって図５（ａ）の矢印Ｄ方向に押付け力を付与したとき、Ｇ点を軸にして押え保持部材６が強制的に矢印ｎ方向に回動される。こうして、押え保持部材６と受け保持部材５とによる表示シート２に対する押圧力に加えて、この矢印ｎ方向への回動力によって表示シート２がシート受け面３０により強固に押付けられる。これにより、ビス２８による矢印Ｄ方向への僅かな引張り距離に対し、強い保持力を得ることが可能となり、厚手の表示シートであっても、あるいは複数枚の表示シートを重ねた場合であっても、効果的に保持することができる。ここで、第１押圧部３１ａと連結部材９の中心との距離Ｌ１を、第２押圧部３１ｂと連結部材９の中心との距離Ｌ２よりも大きくすることで、より強い保持力を得ることが可能である。
【００５０】
なお、上述の説明では、受け保持部材５側に傾斜部３２を設けたものを説明したが、この傾斜部は、押え保持部材６側に設けることもでできる。
【００５１】
図１０（ａ）（ｂ）（ｃ）には、前記第２の実施形態における保持部材の変形例が示されている。
【００５２】
図１０（ａ）に示される表示シート展張具１Ｃでは、押え保持部材６Ｃの内縁側に設けられたリブ２０Ｃの先端部をフレームの外側に向けて折曲し、その折曲部２０ａの下面をシート押え面として、表示シート２との接触面積を大きく取るようにしたものである。
【００５３】
また、図１０（ｂ）に示される表示シート展張具１Ｄでは、押え保持部材６Ｄの内縁側に設けられたリブ２０Ｄの先端部をフレームの内側に向けて折曲し、その折曲部２０ｂの下面をシート押え面としたものである。
【００５４】
さらに、図１０（ｃ）に示される表示シート展張具１Ｅでは、受け保持部材５Ｅの内縁部近傍に突起部５ａを立ち上げ形成し、この突起部５ａに対向する押え保持部材６Ｅのリブ２０Ｅの折曲部２０ｃにその押え保持部材６Ｅの移動距離分を考慮した大きさの孔２０ｄを穿設するとともに、表示シート２´にも孔２ｂを穿設したものである。
【００５５】
前記各実施形態では、挟持力付与手段７として、ビス２８を挿通孔２４，１６に挿通してナット２９に締め込むようにしたものを説明したが、この挟持力付与手段７の変形例として、図１１に示されるように、押え保持部材６の係合片２２´および受け保持部材５の係合片１４´にそれぞれ凹部２２ａ´、１４ａ´を設けるとともに、これら凹部２２ａ´、１４ａ´に嵌り込むように円柱状のワッシャ３３ａと円柱状のナット３３ｂとをそれぞれ設け、ビス３４をワッシャ３３ａに挿通した後、挿通孔２４，１６に挿通し、ナット３３ｂに捻じ込むようにすることもできる。このような構成によっても、ビス３４のねじ込み時に矢印ｈ方向に回動し、表示シート２が挟持される。また、ビス３４として、球状の止金付ボルトを用いることもでき、また、ビス３４に代えて、パチン錠を用いることも可能である。
【００５６】
また、前記各実施形態の押え保持部材６，６Ｃ，６Ｄ，６Ｅのシート押え面および受け保持部材５，５Ｅのシート受け面を、粗面にしたり、ゴム質材料による把持層を積層するようにして、表示シートの保持力を高めるようにすることができる。
【００５７】
前記各実施形態の表示シート展張具は、大型のスクリーンを構成するシートや、リアプロジェクションテレビの表示シート、あるいは液晶テレビなどの光拡散シートの展張装置に対しても適用することができる。
【図面の簡単な説明】
【００５８】
【図１】本発明の第１の実施形態に係る表示シート展張具の取付状態平面図
【図２】図１の要部拡大図
【図３】本実施形態の表示シート展張具の斜視図
【図４】表示シート展張具の左側面図（図３のＡ矢視図）（ａ）とその部分拡大断面図（ｂ）
【図５】表示シート展張具の正面図（図３のＢ矢視図）（ａ）とその部部分拡大断面図（ｂ）（ｃ）
【図６】従来のシート保持方法のテスト要領を表わす図
【図７】本発明に係るシートの保持テスト要領を表わす図
【図８】本発明の第２の実施形態に係る表示シート展張具の断面図
【図９】本発明の第３の実施形態に係る表示シート展張具の断面図（ａ）とそのＨ−Ｈ線断面図（ｂ）
【図１０】第２の実施形態における保持部材の変形例を示す図
【図１１】挟持力付与手段の変形例を示す図
【図１２】表示シート展張具の従来例を示す図
【図１３】表示シート展張具の他の従来例を示す図
【符号の説明】
【００５９】
１，１Ａ，１Ｂ，１Ｃ，１Ｄ，１Ｅ    表示シート展張具
２              表示シート
２ａ            表示シートの耳部
３              フレーム
５，５Ｅ        受け保持部材
６，６Ｃ，６Ｄ，６Ｅ    押え保持部材
７              挟持力付与手段
８              ばね体
９              連結部材
１３，２１      連結片
１４，２２      係合片
１５，２３      連結ピン孔
１６，２４      挿通孔
１７            止着孔
２６，２７      連結ピン
２８，３４      ビス
２９，３３ｂ    ナット
３０            シート受け面
３１ａ，３１ｂ  シート押え面
３３ａ          ワッシャ
【図１】
2009042609.tif 000005
【図２】
2009042609.tif 000006
【図３】
2009042609.tif 000007
【図４】
2009042609.tif 000008
【図５】
2009042609.tif 000009
【図６】
2009042609.tif 000010
【図７】
2009042609.tif 000011
【図８】
2009042609.tif 000012
【図９】
2009042609.tif 000013
【図１０】
2009042609.tif 000014
【図１１】
2009042609.tif 000015
【図１２】
2009042609.tif 000016
【図１３】
2009042609.tif 000017
【手続補正書】
【提出日】平成19年8月21日(2007.8.21)
【手続補正１】
【補正対象書類名】図面
【補正対象項目名】図１
【補正方法】変更
【補正の内容】
【図１】
2009042609.tif 000018
【手続補正２】
【補正対象書類名】図面
【補正対象項目名】図２
【補正方法】変更
【補正の内容】
【図２】
2009042609.tif 000019
【手続補正３】
【補正対象書類名】図面
【補正対象項目名】図３
【補正方法】変更
【補正の内容】
【図３】
2009042609.tif 000020
【手続補正４】
【補正対象書類名】図面
【補正対象項目名】図４
【補正方法】変更
【補正の内容】
【図４】
2009042609.tif 000021
【手続補正５】
【補正対象書類名】図面
【補正対象項目名】図５
【補正方法】変更
【補正の内容】
【図５】
2009042609.tif 000022
【手続補正６】
【補正対象書類名】図面
【補正対象項目名】図６
【補正方法】変更
【補正の内容】
【図６】
2009042609.tif 000023
【手続補正７】
【補正対象書類名】図面
【補正対象項目名】図７
【補正方法】変更
【補正の内容】
【図７】
2009042609.tif 000024
【手続補正８】
【補正対象書類名】図面
【補正対象項目名】図８
【補正方法】変更
【補正の内容】
【図８】
2009042609.tif 000025
【手続補正９】
【補正対象書類名】図面
【補正対象項目名】図９
【補正方法】変更
【補正の内容】
【図９】
2009042609.tif 000026
【手続補正１０】
【補正対象書類名】図面
【補正対象項目名】図１０
【補正方法】変更
【補正の内容】
【図１０】
2009042609.tif 000027
【手続補正１１】
【補正対象書類名】図面
【補正対象項目名】図１１
【補正方法】変更
【補正の内容】
【図１１】
2009042609.tif 000028
【手続補正１２】
【補正対象書類名】図面
【補正対象項目名】図１２
【補正方法】変更
【補正の内容】
【図１２】
2009042609.tif 000029
【手続補正１３】
【補正対象書類名】図面
【補正対象項目名】図１３
【補正方法】変更
【補正の内容】
【図１３】
2009042609.tif 000030